【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】
第一及び第二表面を有し、かつフィルム及びセルロース性不織布ウェブからなる群から選ばれる柔軟な第一層；
転写温度で本質的に粘着性を有さず、少なくとも約１９（Ｍｐａ）1/2 の溶解度パラメーター及び少なくとも約０℃のガラス転移温度を有する熱可塑性ポリマーを含有する、第一層の第一表面を覆う第二層；及び
約６５℃〜約１８０℃の範囲で溶融し、溶解度パラメーターが約１９（Ｍｐａ）1/2 未満である熱可塑性ポリマーを含有する、第二層を覆う第三層；
を含有する印刷可能な熱転写材料であって、第二層及び第三層が印刷可能な熱転写材料に常温剥離特性を与えるようになっていることを特徴とする前記印刷可能な熱転写材料。
【請求項２】
第二層を含有する熱可塑性ポリマーがアクリル性ポリマー及びポリ（ビニルアセテート）からなる群から選ばれる請求項１記載の印刷可能な熱転写材料。
【請求項３】
第三層がフィルム形成バインダーを含有する請求項１記載の印刷可能な熱転写材料。
【請求項４】
第三層が粉末化熱可塑性ポリマー及びフィルム形成バインダーを含有する請求項１記載の印刷可能な熱転写材料。
【請求項５】
第一及び第二表面を有し、かつフィルム及びセルロース性不織布ウェブからなる群から選ばれる柔軟な第一層；
転写温度で本質的に粘着性を有さず、少なくとも約１９（Ｍｐａ）1/2 の溶解度パラメーター及び少なくとも約０℃のガラス転移温度を有する熱可塑性ポリマーを含有する、第一層の第一表面を覆う第二層；
約６５℃〜約１８０℃の範囲で溶融し、溶解度パラメーターが約１９（Ｍｐａ）1/2 未満である熱可塑性ポリマーを含有する、第二層を覆う第三層；及び
フィルム形成バインダー及び粉末化熱可塑性ポリマーを含有し、フィルム形成バインダー及び粉末化熱可塑性ポリマーのそれぞれが約６５℃〜約１８０℃の範囲で溶融する、第三層を覆う第四層；
を含有する印刷可能な熱転写材料であって、第二層及び第三層が印刷可能な熱転写材料に常温剥離特性を与えるようになっていることを特徴とする前記インクジェット印刷可能な熱転写材料。
【請求項６】
第一及び第二表面を有し、かつフィルム及びセルロース性不織布ウェブからなる群から選ばれる柔軟な第一層；
転写温度で本質的に粘着性を有さず、少なくとも約１９（Ｍｐａ）1/2 の溶解度パラメーター及び少なくとも約０℃のガラス転移温度を有する、第一層の第一表面を覆う第二層；
約６５℃〜約１８０℃の範囲で溶融し、溶解度パラメーターが約１９（Ｍｐａ）1/2 未満であるフィルム形成バインダーを含有する、第二層を覆う第五層；及び
約６５℃〜約１８０℃の範囲で溶融し、溶解度パラメーターが約１９（Ｍｐａ）1/2 未満である熱可塑性ポリマーを含有する、第五層を覆う第三層；
を含有する印刷可能な熱転写材料であって、第二層及び第五層が印刷可能な熱転写材料に常温剥離特性を与えるようになっていることを特徴とする印刷可能な熱転写材料。
【請求項７】
第一及び第二表面を有し、かつフィルム及びセルロース性不織布ウェブからなる群から選ばれる柔軟な第一層；
転写温度で本質的に粘着性を有さず、少なくとも約１９（Ｍｐａ）1/2 の溶解度パラメーター及び少なくとも約０℃のガラス転移温度を有する、第一層の第一表面を覆う第二層；
約６５℃〜約１８０℃の範囲で溶融し、約１９（Ｍｐａ）1/2 未満の溶解度パラメーターを有するフィルム形成バインダーを含有する、第二層を覆う第五層；
約６５℃〜約１８０℃の範囲で溶融し、溶解度パラメーターが約１９（Ｍｐａ）1/2 未満である溶融押出ポリマーを含有する、第五層を覆う第三層；及び
フィルム形成バインダー及び粉末化熱可塑性ポリマーを含有し、フィルム形成バインダー及び粉末化熱可塑性ポリマーのそれぞれが約６５℃〜約１８０℃の範囲で溶融する、第三層を覆う第四層；
を含有するインクジェット印刷可能な熱転写材料であって、第二層及び第三層が印刷可能な熱転写材料に常温剥離特性を与えるようになっていることを特徴とするインクジェット印刷可能な熱転写材料。
【請求項８】
第二層がさらに、効果的な量の剥離増強添加剤を含有する請求項１、５、６又は７記載のインクジェット印刷可能な熱転写材料。
【請求項９】
剥離増強添加剤が、脂肪酸、ポリエチレングリコール又はそれらの混合物の二価金属イオン塩からなる群から選ばれる請求項８記載のインクジェット印刷可能な熱転写材料。
【請求項１０】
剥離増強添加剤が、カルシウムステアレート、分子量約２，０００〜１０，０００のポリエチレングリコール又はそれらの混合物である請求項９記載のインクジェット印刷可能な熱転写材料。
【請求項１１】
第一及び第二表面を有し、かつフィルム及びセルロース性不織布ウェブからなる群から選ばれる柔軟な第一層；
転写温度で本質的に粘着性を有さず、少なくとも０℃のガラス転移温度を有する、アクリル性ポリマー及びポリ（ビニルアセテート）からなる群から選ばれる熱可塑性ポリマーを含有する、第一層の第一表面を覆う第二層であって、さらに脂肪酸の二価金属イオン塩である剥離増強添加剤の効果的な量を含有する該第二層；及び
６５℃〜１８０℃の範囲で溶融し、ポリオレフィン、ポリエステル、エチレン−ビニルアセテートコポリマーからなる群から選ばれる熱可塑性ポリマーを含有する、第二層を覆う第三層；
を含有する印刷可能な熱転写材料であって、
第二層及び第三層が、支持体表面にイメージを転写した後に該熱転写材料を周囲温度に冷却すると、支持体から第一層を容易かつきれいにはがすことができるようになっていることを特徴とする前記印刷可能な熱転写材料。
【請求項１２】
第三層がフィルム形成バインダーを含有する請求項１１記載の印刷可能な熱転写材料。
【請求項１３】
第三層が粉末化熱可塑性ポリマーを含有する請求項１１又は１２記載の印刷可能な熱転写材料。
【請求項１４】
さらに第三層を覆う第四のインクジェット印刷層を含有し、該第四層が、ポリアクリレート、ポリエチレン及びエチレンビニルアセテートコポリマーからなる群から選ばれるフィルム形成バインダー；及びポリオレフィン、ポリエステル、ポリアミド及びエチレン−ビニルアセテートコポリマーからなる群から選ばれる粉末化熱可塑性ポリマーを含有し、フィルム形成バインダー及び粉末化熱可塑性ポリマーのそれぞれが６５℃〜１８０℃の範囲で溶融する請求項１１〜１３のいずれか１項記載の印刷可能な熱転写材料。
【請求項１５】
第一及び第二表面を有し、かつフィルム及びセルロース性不織布ウェブからなる群から選ばれる柔軟な第一層；
転写温度で本質的に粘着性を有さず、少なくとも約０℃のガラス転移温度を有する、アクリル性ポリマー及びポリ（ビニルアセテート）からなる群から選ばれる熱可塑性ポリマーを含有する、第一層の第一表面を覆う第二層であって、さらに脂肪酸の二価金属イオン塩である剥離増強添加剤の効果的な量を含有する該第二層；
６５℃〜１８０℃の範囲で溶融し、ポリオレフィン、ポリエステル及びエチレンビニルアセテートコポリマーからなる群から選ばれるフィルム形成バインダーを含有する、第二層を覆う第五層；及び
約６５℃〜約１８０℃の範囲で溶融し、ポリオレフィン、ポリエステル、エチレン−ビニルアセテートコポリマーからなる群から選ばれる熱可塑性ポリマーフィルムを含有する、第五層を覆う第三層；
を含有する印刷可能な熱転写材料であって、
第二層及び第五層が、支持体表面にイメージを転写した後に該熱転写材料を周囲温度に冷却すると、支持体から第一層を容易かつきれいにはがすことができるようになっていることを特徴とする前記印刷可能な熱転写材料。
【請求項１６】
さらに第三層を覆う第四層を含有し、ポリアクリレート、ポリエチレン及びエチレンビニルアセテートコポリマーからなる群から選ばれるフィルム形成バインダー；及びポリオレフィン、ポリエステル、ポリアミド及びエチレン−ビニルアセテートコポリマーからなる群から選ばれる粉末化熱可塑性ポリマーを含有し、フィルム形成バインダー及び粉末化熱可塑性ポリマーのそれぞれが６５℃〜１８０℃の範囲で溶融する該第四層を含有し、
第三層に含まれる熱可塑性ポリマーフィルムが溶融押出ポリマーフィルムである請求項１５項記載の印刷可能な熱転写材料。
【請求項１７】
第一層がセルロース性不織布ウェブである請求項１、５、６、７、１１又は１５記載の印刷可能な熱転写材料。
【請求項１８】
セルロース性不織布ウェブがラテックス含浸紙である請求項１７記載の印刷可能な熱転写材料。
【請求項１９】
第二層を含有する熱可塑性ポリマーが少なくとも約２５℃のガラス転移温度を有する請求項１、５、６、７、１１又は１５記載の印刷可能な熱転写材料。